(57)【要約】      （修正有）【課題】三階建以上のビルディングにおいて緊急時の住民の安全、迅速な脱出を可能とする安全装置を提供する。【解決手段】ばね状の金属に縁取られた半円形様のファンを、閉じた状態で建物に設置し、火災など緊急時にスイッチを入れモーター１３を作動させ、ファンの留め具をはずし、ばねの力でファンを全開させ、外壁に取り付けた磁石に密着させることで、住民が高所恐怖を感じること少なくファンの上に立ち、梯子をつたって順々にファンからファンへと降りて、高層ビルディングから迅速に脱出できるようにした。また、梯子が使えなくてもファンが助けになる。【選択図】図５
0003145129.tif 000002
【実用新案登録請求の範囲】
【請求項１】
三階建以上のビルディングの外壁窓辺下方に、閉じた扇状の物体（ファン）を取り付け、火災などの緊急時に各階のファンを全開させることで、住民が窓からファンの上に乗り、高所恐怖を感じずに梯子づたいに降り、迅速に建物から脱出することを目的とした安全装置
【考案の詳細な説明】
【技術分野】
【０００１】  本考案は、三階建以上のビルディングの外壁窓辺下方に取り付けた、扇状の安全装置に関するものである。
【背景技術】
【０００２】  従来、高層ビルディングの火災などの緊急時において、エレベーターや階段が使用不可能になった場合、住民はパニックにおちいり、窓から直接飛び降りて地面に叩きつけられ大怪我をしたり、あるいは死亡したりする例が過去に何度となく見られた。将来、都市に高層ビルディングの数はますます増え、同様の事故が多くなっていくことが危惧される。
【考案の開示】
【考案が解決しようとする課題】
【０００３】  従来の緊急脱出装置の梯子はふつう、ベランダ片隅などめだたない裏に設置されているが、火災で煙に巻かれた場合、梯子までたどりつき冷静にそれを使いこなすことはむずかしい。
高所恐怖から、それを使えないことも多い。パニックと高所恐怖、これが克服すべき課題である。従って、表通りなど大通りに面した、消防車や見守る人々の援助も得られる場所で、高所恐怖をそれほど感じずに、迅速に脱出する装置を設置し、過去の脱出方法の欠点を解決しようとするものである。
【課題を解決するための手段】
【０００４】  本考案は、扇（ファン）の形態をヒントに、扇状の軽金属、あるいは非可燃性の化学化合物を素材にほぼ半円形のものを作り、強力なばねにより全開するそのファンを、閉じた形で、各階の外壁窓辺下方に備え付けるというものである。緊急時、住民は窓から出て全開したファンの上に乗り、ファンの中央部の穴から、外壁に設置された梯子をつたって降りることで、恐怖心は薄らぐ。ファンの大きさを、下段にいくにしたがって大きくすることで、万一梯子が使えない時も、ファンからファンへと跳び降りることができる。高所から落ちる衝撃は、そのつど和らげられる。高所恐怖が薄らぐこと、ファンごとに降りる途中で休めること、梯子が使えない万一の場合も落下の衝撃が大きく和らげられることなどの利点から、従来の脱出方法の欠点は解決される。
【考案の効果】
【０００５】  上述のファンを各階ごと、あるいは数階ごとに設置することで、高層ビルディングにすむ人々の、緊急時に対する日常の不安は軽減される。また、消防車で救出にあたる人々も、クレーンなどを使う作業がしやすくなり、脱出はより安全、迅速になる。
【考案の実施するための最良の形態】
【０００６】  強力なばねを中心に構成したほぼ半円形のファンを閉じ、棒状にして、各階の外壁に取り
0003145129.tif 000003
留め、金属粋は磁石により外壁に取り付けた別の金属板二枚それぞれに固定する。ファンの留めの金属枠には、強靭な金属線を付け、モーターに巻きつかせる。外壁のごく近い場所にモーターを設置し、スイッチで電流が流れるとモーターが回り、金属線を引っ張るので金属枠は外れ、ファンが開く。
ファンが固定されている側の反対側には強力な磁石を取り付けた金属板が外壁に設置されており、ばねの力でファンが勢いよく開いたとき、磁力によってさらにその金属板に引き付けられ密着する。また、密着部のやや下方の外壁に、ファンの受け台となる金属台が取り付けられており、表面にぶ厚いゴム板を付けたその台が密着部を支える。さらにファンの中心部の縁近くに二本、磁石に密着する部分の縁近くに二本、合計四本の強靭な金属線が付いており、あらかじめ外壁に設置した別の金属板にそれぞれの先端部が固定されているので、ファンの全開時にその水平がほぼ定まり、ファン全体の強度が増す。
【実施例】
【０００７】  以下、添付図面に従って一実施例を説明する。１は軽金属、あるいは非可燃性の化学化合物等適宜素材により半円形様に形成されたファン（扇）本体、１ａ、１ｂ  は本体に付着した強靭なしなりを有する金属製の粋である。
１ｃ、１ｄ  はじめ実線とそれに並ぶ波線は折り山である。折り山部分は、細く強靭な金属線よりなる。等分角度はいずれも実線から実線までが２２・５度、壁に近接した部分のみが１０度である。１０度の部分があるのはファンが全開した時、磁石を付けた外壁部分に届くよう長さに余裕を持たせるためである。材質によっては、より小さい角度にする。
２は外壁への固定部で素材は強い金属である。角度は２２・５度、あらかじめ折り山で正半分に折って、二重にして用いる。２ａほか並びの円形の穴は固定ねじのためのもので、外壁に設置した金属板にねじで固定する。２ｂは細く強靭な金属製のばねで、先端の２ｃ部分が２に固定されている。反対側の２ｄ部分は、ファンが全開した時ばね全体と共に空中に垂れさがる。
３はファンが全開した時、外壁に設置した金属板に密着させる部分で、２と大きさ、角度は同じであり、やはり折り山で折って二重にし、ねじ固定して用いる。外壁の金属板には、強力な磁石が付けられている。あるいは、板全体を、磁石とする。４、５、６、７はそれぞれファンの円形縁から少し内寄りに付けられた金属線で、４ａ、５ａ、６ａ、７ａの部分があらかじめ外壁に設置された金属板に固定されている。７には三ヶ所の磁石部分７ｂ、７ｃ、７ｄがある。このファン全体を、平常時は折りたたんだ棒状の形で各階の外壁に、めだたないように設置する。色彩は粋部分を外壁と同色、開く部分を白あるいは薄緑色とする。【０００８】  ８はファン本体を折りたたんだ状態にしておく留め具で、８ａ、８ｂ部分は磁石となっており、外壁に取り付けた金属板９、１０、にそれぞれ引き付けられ密着している。金属線４、５、６、７は先端部４ａ、５ａ、６ａ、７ａが一点に集められ、外壁に取り付けた金属板にあらかじめ固定されている。緊急の際、スイッチの１２を入れると電流が流れ、モーターの１３に巻きつけた金属線の１４が強い力で引っ張られて８の留め具がはずれ、外壁に取り付けた１５の枠に引っかかる。ファンは２ｄを先端部とするばねの力、およびファン本体の橋のばねの力によって急激に開き、反対側の外壁に磁石を取り付けた金属板１７に引き付けられ、３の部分が密着する。その際、ゴム板をつけた受け台１８が、密着部を支える。７も外壁の磁石部１７ａ、１７ｂ、１７ｃに密着する。【０００９】  各階のファンが開くのを確認したら、スイッチを切り、モーター作動を止める。スイッチは一階外壁部はじめ、各階内部、外部に適宜設置する。住民は窓から戸外に脱出し、ファンの上に立ち、穴の部分１６から、外壁に設置された梯子をつたって降りる。この装置は、消防車が入りこめる道路に面した外壁にあることが望ましい。なお、平常時は、一階部分の梯子は囲いで覆い、使用不可とする。なお、磁石部はじめ全装置の点検は、定期的に行う。
【図面の簡単な説明】
【００１０】
【図１】本考案のファンの形状を示す構造図である。
【図２】平常時、閉じているファンの見取り図である。
【図３】開きつつある状態のファンの見取り図である。
【図４】四階建の建物の、緊急時のファンの形態の見取り図である。
【図５】高層ビルディングの、緊急時のファンの形態の概略見取り図である。
【図６】高層ビルディングの、平常時のファンの形態の概略見取り図である。
【符号の説明】
【００１１】１  ファン本体
２  外壁固定部
３  磁石版密着部
４−７  金属線
８  留め具
９−１０  留め具固定用金属板
１１  金属線固定用金属板
１２  スイッチ
１３  モーター
１４  留め具引っ張り用金属線
１５  留め具用枠
１６  下方に降りるための穴部
１７  金属線磁石部に対応する外壁磁石部
１８  密着部を支える受け台
１９  梯子
【図１】
0003145129.tif 000004
【図２】
0003145129.tif 000005
【図３】
0003145129.tif 000006
【図４】
0003145129.tif 000007
【図５】
0003145129.tif 000008
【図６】
0003145129.tif 000009
【手続補正書】
【提出日】平成20年6月20日(2008.6.20)
【手続補正１】
【補正対象書類名】実用新案登録請求の範囲
【補正対象項目名】請求項１
【補正方法】変更
【補正の内容】
【請求項１】
ビルディングの外壁窓辺下方で閉じた状態と開いた状態とをとる、壁に固定されたファン本体と、ビルディングの外壁に一端を固定し他端をファン本体に固定してファン本体の全開時にファン本体を水平に支持する強靭な複数本の線と、緊急の際、ファン本体を閉じた状態から全開した状態にするモーターと、モーターを起動するスイッチと、ファン本体のすぐ近くに設置した梯子とを備えた安全装置